(57)【要約】【課題】ポータブル記憶デバイスから受信デバイスへデジタル・コンテンツを制御可能にストリームする。【解決手段】ポータブル記憶デバイスは、受信デバイスから識別パラメータの値を受信するためのメカニズム、デジタル・コンテンツ、ライセンス・ポリシー、そして識別パラメータによって識別される受信デバイス上でデジタル・コンテンツを視聴するためのライセンスを記憶するための不揮発性メモリ、そして識別パラメータおよびライセンスに応答して、ライセンス・ポリシーに従って受信デバイスへデジタル・コンテンツの少なくとも一部分の制御供給を提供するよう作動可能なコントローラを含む。【選択図】図１
2010511307.tif 000002
【特許請求の範囲】
【請求項１】
ストリーミング・デジタル・コンテンツの制御供給を提供するためのポータブル記憶デバイスであって、
（ａ）受信デバイスから識別パラメータの値を受信するためのメカニズム、
（ｂ）デジタル・コンテンツ、ライセンス・ポリシー、そして、前記識別パラメータによって識別される前記受信デバイス上で前記デジタル・コンテンツを視聴するためのライセンスを記憶するための不揮発性メモリ、そして
（ｃ）前記識別パラメータに応答して、且つ前記ライセンスの存在を条件として、前記ライセンス・ポリシーに従って前記受信デバイスへの前記デジタル・コンテンツの少なくとも一部分の制御供給を提供するように作動可能なコントローラからなる、ポータブル記憶デバイス。
【請求項２】
前記コントローラが、簡素なストリーミング・コンテンツとして、前記デジタル・コンテンツの前記少なくとも一部分の前記制御供給を提供するよう作動可能である、請求項１のポータブル記憶デバイス。
【請求項３】
さらに、暗号化ストリーミング・コンテンツとして、前記受信デバイスへ前記デジタル・コンテンツの前記少なくとも一部分をストリームするための暗号化ユニットからなる、請求項１のポータブル記憶デバイス。
【請求項４】
前記ライセンスが、前記識別パラメータによって識別される唯一の前記受信デバイスに対するものである、請求項１のポータブル記憶デバイス。
【請求項５】
前記ライセンスが、複数の認可された前記受信デバイスに対するものである、請求項１のポータブル記憶デバイス。
【請求項６】
前記受信デバイスから前記識別パラメータの前記値を受信するための前記メカニズムが、さらに、前記デジタル・コンテンツを前記受信デバイスへ転送するよう作動可能である、請求項１のポータブル記憶デバイス。
【請求項７】
前記受信デバイスから前記識別パラメータの前記値を受信するための前記メカニズムが、前記デジタル・コンテンツを前記受信デバイスへ転送するためのコネクタを含む、請求項６のポータブル記憶デバイス。
【請求項８】
前記メカニズムが、有線通信リンクを介して、前記識別パラメータの前記値を受信するよう作動可能である、請求項１のポータブル記憶デバイス。
【請求項９】
前記メカニズムがＵＳＢコネクタを含む、請求項８のポータブル記憶デバイス。
【請求項１０】
前記メカニズムが、無線通信リンクを介して、前記識別パラメータの前記値を受信するよう作動可能である、請求項１のポータブル記憶デバイス。
【請求項１１】
前記メカニズムがＲＦＩＤリーダを含む、請求項１０のポータブル記憶デバイス。
【請求項１２】
前記受信デバイスが視聴デバイスである、請求項１のポータブル記憶デバイス。
【請求項１３】
前記視聴デバイスがデジタル・テレビである、請求項１２のポータブル記憶デバイス。
【請求項１４】
前記ライセンス・ポリシーが、前記受信デバイスへストリームされる前記デジタル・コンテンツの量を決定する少なくとも一つのパラメータの値を含む、請求項１のポータブル記憶デバイス。
【請求項１５】
前記ライセンス・ポリシーが、前記受信デバイスへストリームされる前記デジタル・コンテンツの品質を決定する少なくとも一つのパラメータの値を含む、請求項１のポータブル記憶デバイス。
【請求項１６】
前記少なくとも一つのパラメータが、前記ストリームされるコンテンツの、色、連続性、表示、所定画像の重ね、フレーム・サイズおよびストリーミング速度からなるグループから選択した少なくとも一つの局面を制御する、請求項１５のポータブル記憶デバイス。
【請求項１７】
前記コントローラが、さらに、前記受信デバイスへの前記デジタル・コンテンツの前記少なくとも一部分の前記制御供給時に、前記ライセンス・ポリシーに従って前記不揮発性メモリ内に記憶した前記ライセンスを更新するよう作動可能である、請求項１のポータブル記憶デバイス。
【請求項１８】
前記コントローラが、さらに、前記識別パラメータの欠如あるいは前記ライセンスの欠如において、前記ライセンス・ポリシーに従って前記受信デバイスへ前記デジタル・コンテンツの前記少なくとも一部分の前記制御供給を提供するよう作動可能である、請求項１のポータブル記憶デバイス。
【請求項１９】
（ａ）デジタル・コンテンツを表示するための作動可能な受信デバイス、そして
（ｂ）
（ｉ）前記受信デバイスから識別パラメータの値を受信するためのメカニズム、そして
（ii）デジタル・コンテンツ、ライセンス・ポリシー、そして前記識別パラメータによって識別される前記受信デバイス上で前記デジタル・コンテンツを視聴するためのライセンスを記憶するための不揮発性メモリを含む記憶デバイスからなり、
前記記憶デバイスが、前記識別パラメータに応答して、且つ前記ライセンスの存在を条件として、前記ライセンス・ポリシーに従って、前記受信デバイスへの前記デジタル・コンテンツの少なくとも一部分の制御供給を提供するよう作動可能である、デジタル権利管理システム。
【請求項２０】
さらに、前記ライセンスを発行するための、前記記憶デバイスおよび前記受信デバイスから物理的に分離したネットワーク・デバイスからなる、請求項１９のデジタル権利管理システム。
【請求項２１】
デジタル・コンテンツのためのデジタル権利を購入するためのポータブル記憶デバイスであって、
（ａ）少なくとも一つの受信デバイスから各々の識別パラメータを受信するためのメカニズム、
（ｂ）デジタル・コンテンツおよびライセンス・ポリシーを記憶するための不揮発性メモリ、そして
（ｃ）前記各々の識別パラメータに応答して、そして前記ライセンス・ポリシーに従って、
（ｉ）前記各々の識別パラメータによって識別される前記少なくとも一つの受信デバイス上でデジタル・コンテンツを視聴するために、ポータブル記憶デバイスおよび前記少なくとも一つの受信デバイスから物理的に分離したネットワーク・デバイスから、対応するライセンスを得るよう、そして
（ii）対応するライセンスの存在を条件として、前記少なくとも一つの受信デバイスへデジタル・コンテンツの少なくとも一部分の制御供給を提供するよう作動可能なコントローラからなる、ポータブル記憶デバイス。
【請求項２２】
（ａ）デジタル・コンテンツおよびライセンス・ポリシーを記憶するステップ、
（ｂ）受信デバイスから識別パラメータの値を受信するステップ、
（ｃ）前記識別パラメータによって識別される前記受信デバイス上で前記デジタル・コンテンツを視聴するためのライセンスが、前記不揮発性メモリ内に存在することを検証するステップ、そして
（ｄ）前記ライセンスの前記存在を条件として、且つ前記ライセンス・ポリシーに従って、前記受信デバイスへ前記デジタル・コンテンツの少なくとも一部分を転送するステップからなる、デジタル権利管理方法。
【請求項２３】
前記デジタル・コンテンツの前記少なくとも一部分が、簡素なストリーミング・コンテンツとして、前記受信デバイスへ転送される、請求項２２のデジタル権利管理方法。
【請求項２４】
前記デジタル・コンテンツの前記少なくとも一部分が、暗号化ストリーミング・コンテンツとして、前記受信デバイスへ転送される、請求項２２のデジタル権利管理方法。
【請求項２５】
さらに、前記識別パラメータの前記値の前記受信に応答して、前記ライセンスを得るためにネットワーク・デバイスと通信するステップからなる、請求項２２のデジタル権利管理方法。
【請求項２６】
さらに、
（ｅ）前記ライセンス・ポリシーに従って前記ライセンスを更新するステップからなる、請求項２２のデジタル権利管理方法。
【請求項２７】
前記ライセンスが、前記識別パラメータによって識別される唯一の前記受信デバイスに対するものである、請求項２２のデジタル権利管理方法。
【請求項２８】
前記ライセンスが、複数の認可された前記受信デバイスに対するものである、請求項２２のデジタル権利管理方法。
【請求項２９】
前記識別パラメータの前記値の前記受信が、有線通信リンクを介して行われる、請求項２２のデジタル権利管理方法。
【請求項３０】
前記有線通信リンクがＵＳＢコネクタを含む、請求項２９のデジタル権利管理方法。
【請求項３１】
前記識別パラメータの前記受信が、無線通信リンクを介して行われる、請求項２２のデジタル権利管理方法。
【請求項３２】
前記無線通信リンクがＲＦ通信リンクである、請求項３１のデジタル権利管理方法。
【請求項３３】
前記受信デバイスが視聴デバイスである、請求項２２のデジタル権利管理方法。
【請求項３４】
前記視聴デバイスがデジタル・テレビである、請求項３３のデジタル権利管理方法。
【請求項３５】
前記ライセンス・ポリシーが、前記受信デバイスへストリームされる前記デジタル・コンテンツの量を決定する少なくとも一つのパラメータの値を含む、請求項２２のデジタル権利管理方法。
【請求項３６】
前記ライセンス・ポリシーが、前記受信デバイスへストリームされる前記デジタル・コンテンツの品質を決定する少なくとも一つのパラメータの値を含む、請求項２２のデジタル権利管理方法。
【請求項３７】
前記少なくとも一つのパラメータが、前記ストリームされるコンテンツの、色、連続性、表示、所定画像の重ね、フレーム・サイズおよびストリーミング速度からなるグループから選択した少なくとも一つの局面を制御する、請求項３６のデジタル権利管理方法。
【請求項３８】
さらに、
（ｅ）前記ライセンスの欠如または前記識別パラメータの欠如において、前記ライセンス・ポリシーに従って前記受信デバイスへ前記デジタル・コンテンツの減衰させた一部分を転送するステップからなる、請求項２２のデジタル権利管理方法。
【請求項３９】
デジタル・コンテンツに対するデジタル権利を購入するための方法であって、
（ａ）少なくとも一つの受信デバイスに接続して前記少なくとも一つの受信デバイスから識別パラメータの各々の値を受信するように作動可能なポータブル記憶デバイスをユーザに販売するステップ、なお、前記ポータブル記憶デバイスは、コントローラと、デジタル・コンテンツおよびライセンス・ポリシーを記憶するための不揮発性メモリを含み、
（ｂ）対応するライセンスの存在を条件として、前記ユーザが、前記識別パラメータの前記各々の値によって識別される前記少なくとも一つの受信デバイスへ前記ポータブル記憶デバイスを再接続したときに前記少なくとも一つの受信デバイス上でデジタル・コンテンツを視聴できるよう、前記ライセンス・ポリシーに従って、前記ポータブル記憶デバイスおよび前記少なくとも一つの受信デバイスから物理的に分離したネットワーク・デバイスから前記対応するライセンスを購入するよう勧誘するステップからなる、方法。
【請求項４０】
ビジネスを行うためのペイ・パー・ヴュー方法であって、
（ａ）ライセンスの存在を条件として視聴デバイスへデジタル・コンテンツの制御供給を提供するように構成されたポータブル記憶デバイスを検出するステップ、
（ｂ）前記ポータブル記憶デバイスの前記検出に応答して、ユーザに、前記ポータブル記憶デバイスの不揮発性メモリへ前記デジタル・コンテンツおよび対応するライセンス・ポリシーをダウンロードするよう勧誘するステップ、そして
（ｃ）前記視聴デバイスに対して受信した識別パラメータの値によって識別される前記視聴デバイス上で前記デジタル・コンテンツを視聴するための前記ライセンスを、前記ユーザに販売するステップからなり、
前記視聴デバイスへの前記デジタル・コンテンツの前記制御供給が、前記対応するライセンス・ポリシーおよび前記ライセンスに従って、且つ前記識別パラメータに応答して実行される、ペイ・パー・ヴュー方法。
【請求項４１】
前記ユーザへの前記デジタル・コンテンツおよび前記対応するライセンス・ポリシーのダウンロードの前記勧誘が、無料で行われる、請求項４０のペイ・パー・ヴュー方法。
【請求項４２】
前記ライセンスの前記販売が、ネットワーク・デバイスから行われる、請求項４０のペイ・パー・ヴュー方法。
【発明の詳細な説明】
【技術分野】
【０００１】
本発明は、ビデオ、ムービー等のデジタル・コンテンツを記憶する記憶デバイスに関する。より詳しくは、本発明は、記憶コンテンツのデジタル権利を提供する記憶デバイスに関する。
【背景技術】
【０００２】
ビデオムービー等のデジタル・オーディオヴィジュアル・メディアをデバイスの間で転送する必要性は、コンピュータ工学および娯楽性製品設計の分野で周知である。
【０００３】
ＵＳＢインターフェイスに一体化したＮＡＮＤタイプ・フラッシュメモリ・データ記憶デバイスであるＵＳＢフラッシュドライブ（ＵＦＤ）等の、ポータブル不揮発性メモリ・デバイスは、コンピュータ工学において、マニュアル式にデバイス間でデータを転送するための手段として周知の技術である。
【０００４】
しかしながら、妥当な品質で、典型的なビデオムービーを保存するには、高価な記憶スペースが必要である。加えて、ムービーの所有者は、エンド・ユーザが、ポータブル・デバイスで自由にムービーを複製して楽しむことを望んではいない。したがって、関連するデータ量、そしてユーザの、著作権が課す制限に起因して、本技術で既知であるＵＳＢデバイスは、今日、ビデオムービーを転送するために用いられることはほとんどない。
【０００５】
ビデオムービーを転送するための既存のアプローチは、ＯＭＡ・ＤＲＭ（商標）、ウインドウズ・メディアＤＲＭ（商標）（ＷＭＤＲＭ）等の、ＤＲＭ（デジタル著作権管理）技術である。これは、管制様式でのデジタル・コンテンツの配布および利用を可能にすることによって、コンテンツやサービスの所有者（著作権者等）の利益を著作権侵害から保護するのに用いる技術である。典型的に、許可された受取人またはユーザは、コンテンツ所有者が設定した権利またはビジネス規則に従って保護データ（例えばファイル、音楽、ムービー）を利用するのにライセンスを得なければならない。
【０００６】
ＯＭＡ・ＤＲＭ技術は、例えば、ＳＩＭ（加入者識別モジュール）および高信頼メモリ・カード等の、セキュアな取り外し可能メディア内に記憶したコンテンツのデジタル著作権管理を提供する。モバイル・データ・サービスの、ユーザによる世界的な採用を促進するために設立されたＯＭＡ（オープン・モバイル・アライアンス（商標））は、３００以上の、国際的な、モバイル・オペレータ、デバイスおよびネットワーク提供業者、情報技術会社、そしてコンテンツ・プロバイダを代表する、モバイル産業のコンソーシアムである。
【０００７】
マイクロソフトから入手可能なウインドウズ・メディアＤＲＭ（ＷＭＤＲＭ）は、ポータブル・デバイス、ネットワーク・デバイスおよび取り外し可能な記憶装置内に暗号化方式で記憶したデジタルメディアに対するデジタル権利を定義し、それを組み入れて強制するプラットホームを提供するコア・テクノロジーである。
【０００８】
ＤＲＭ技術を利用する従来の技術のデバイスは、デジタル・コンテンツの暗号化バージョンを記憶し、その保護コンテンツを暗号化方式で送信し、受信時に受信デバイスで解読することによって、保護デジタル・コンテンツの制御流通および利用を提供する。
【０００９】
出版者（または出版者からのデジタル権利を持つ小売業者）は、対応する復号キーを備えていない受信デバイスのエンド・ユーザがデジタル・コンテンツを利用できない方式で、デジタル・コンテンツを暗号化する。そのような構成は、暗号化ストリーミング・コンテンツの解読を可能にするために、受信デバイスに（例えば、暗号解読キーを実装した）高価な拡張コンピューティング・ロジックを設けることを必要とする。
【００１０】
したがって、例えば、ビデオまたは音楽等のデジタル・コンテンツを著作権保護で受信デバイスへ配布でき、その一方で、受信デバイスに追加のコンピューティング・ロジックやセキュリティ機能を必要としないＤＲＭデバイスを提供することが望ましい。
【発明の開示】
【発明が解決しようとする課題】
【００１１】
したがって、本発明の主要な目的は、ポータブル記憶デバイスから受信デバイスへデジタル・コンテンツを制御可能にストリームすることによって、デジタル・コンテンツ（例えば、ビデオ・コンテンツ、ファイル、音楽など）の著作権保護を提供するポータブル・データ記憶デバイスを紹介することである。
【００１２】
受信デバイスは、典型的に、（デジタルテレビ等の）視聴デバイスである。
【００１３】
本発明によれば、ポータブル記憶デバイスからのコンテンツのストリーミングは、特定な表示デバイス上でデジタルコンテンツを表示するために得ているライセンスの可用性を条件としている。本文におけるライセンスは、特定な受信デバイスおよび特定なデジタル・コンテンツに関連する信頼データ・オブジェクトと定義する。
【００１４】
本発明によれば、ストリーミング・デジタル・コンテンツの制御供給を提供するための、以下のものを含むポータブル記憶デバイスが提供される。（ａ）受信デバイスから識別パラメータの値を受信するためのメカニズム。（ｂ）デジタル・コンテンツ、ライセンス・ポリシー、そして識別パラメータによって識別される受信デバイス上でデジタル・コンテンツを視聴するためのライセンスを記憶するための不揮発性メモリ。そして（ｃ）識別パラメータに応答して、且つライセンスの存在を条件として、ライセンス・ポリシーに従って、受信デバイスへのデジタル・コンテンツの少なくとも一部分の制御供給を提供するよう作動可能なコントローラ。
【００１５】
コントローラは、簡素なストリーミング・コンテンツ（すなわち、これまで暗号化されたことのないストリーミング・コンテンツ、またはポータブル記憶デバイスによって既に解読された暗号化デジタルコンテンツ）として、デジタル・コンテンツの制御供給を提供するように作動可能であることが好ましい。
【００１６】
また、ポータブル記憶デバイスは、暗号化ストリーミング・コンテンツとして受信デバイスへデジタル・コンテンツをストリームするための暗号化ユニットを含むことが好ましい。
【００１７】
ライセンスは、識別パラメータによって識別される唯一の受信デバイスのみに対するものであることが好ましい。ライセンスは、択一的に、複数の認可受信デバイスに対するものである。
【００１８】
受信デバイスから識別パラメータの値を受信するためのメカニズムは、さらに、デジタル・コンテンツを受信デバイスへ転送するよう作動可能であることが好ましい。このメカニズムは、デジタル・コンテンツを受信デバイスへ転送するためのコネクタを含むことがより好ましい。
【００１９】
メカニズムは、ＵＳＢコネクタ等の有線通信リンクを介して、前記識別パラメータの値を受信するよう作動可能であることが好ましい。メカニズムは、択一的に、ＲＦＩＤリーダ等の無線通信リンクを介して、識別パラメータの値を受信するよう作動可能である。
【００２０】
受信デバイスは、視聴デバイスであることが好ましい。視聴デバイスは、デジタル・テレビであることがより好ましい。
【００２１】
ライセンス・ポリシーは、受信デバイスへストリームされるデジタル・コンテンツの量を決定する少なくとも一つのパラメータの値を含むことが好ましい。オプションとして、ライセンス・ポリシーは、受信デバイスへストリームされるデジタル・コンテンツの品質を決定する少なくとも一つのパラメータの値を含む。このパラメータは、色、連続性、表示、所定画像の重ね、フレーム・サイズ、ストリーミング速度等の、ストリームされるコンテンツの少なくとも一つの局面を制御することがより好ましい。
【００２２】
コントローラは、さらに、受信デバイスへのデジタル・コンテンツの制御供給時に、ライセンス・ポリシーに従って、不揮発性メモリ内に記憶したライセンスを更新するよう作動可能であることが好ましい。
【００２３】
オプションとして、コントローラは、さらに、識別パラメータの欠如またはライセンスの欠如において、ライセンス・ポリシーに従って、受信デバイスへのデジタル・コンテンツの制御供給を提供するよう作動可能である。
【００２４】
本発明によるもう一つの実施例によれば、さらに、以下のものを含むデジタル権利管理システムが提供される。（ａ）デジタル・コンテンツを表示するように作動可能な受信デバイス。そして（ｂ）（ｉ）受信デバイスから識別パラメータの値を受信するためのメカニズム、そして（ii）デジタル・コンテンツ、ライセンス・ポリシー、そして識別パラメータによって識別される受信デバイス上でデジタル・コンテンツを視聴するためのライセンスを記憶するための不揮発性メモリを含む記憶デバイス。この場合、記憶デバイスは、識別パラメータに応答して、且つライセンスの存在を条件として、ライセンス・ポリシーに従って、受信デバイスへのデジタル・コンテンツの少なくとも一部分の制御供給を提供するよう作動可能である。
【００２５】
方法は、また、ライセンスを発行するためのネットワーク・デバイスを含むことが好ましい。ネットワーク・デバイスは、典型的に、記憶デバイスおよび受信デバイスから物理的に分離している。
【００２６】
本発明によるもう一つの実施例によれば、さらに、デジタル・コンテンツに対するデジタル権利を購入するための、以下のものを含むポータブル記憶デバイスが提供される。（ａ）少なくとも一つの受信デバイスから各々の識別パラメータを受信するためのメカニズム。（ｂ）デジタル・コンテンツおよびライセンス・ポリシーを記憶するための不揮発性メモリ。そして（ｃ）ライセンス・ポリシーに従って、（ｉ）ポータブル記憶デバイスおよび受信デバイスから物理的に分離したネットワーク・デバイスから、識別パラメータの各々の値によって識別される受信デバイス上でデジタル・コンテンツを視聴するための対応するライセンスを得るよう、そして（ii）対応するライセンスの存在を条件として、受信デバイスへのデジタル・コンテンツの少なくとも一部分の制御供給を提供するよう作動可能なコントローラ。
【００２７】
本発明によるもう一つの実施例によれば、さらに、次のステップを含むデジタル権利管理方法が提供される。（ａ）デジタル・コンテンツおよびライセンス・ポリシーを記憶するステップ。（ｂ）受信デバイスから識別パラメータの値を受信するステップ。（ｃ）識別パラメータによって識別される受信デバイス上でデジタル・コンテンツを視聴するためのライセンスが、不揮発性メモリ内に存在することを検証するステップ。そして（ｄ）ライセンスの存在を条件として、且つライセンス・ポリシーに従って、受信デバイスへデジタル・コンテンツの少なくとも一部分を転送するステップ。
【００２８】
デジタル・コンテンツは、簡素なストリーミング・コンテンツとして、受信デバイスへ転送されることが好ましい。
【００２９】
デジタル・コンテンツは、暗号化ストリーミング・コンテンツとして、受信デバイスへ転送されることが好ましい。
【００３０】
方法は、また、識別パラメータの値の受信に応答して、ライセンスを取得するために、ネットワーク・デバイスと通信するステップを含むことが好ましい。
【００３１】
方法は、また、ライセンス・ポリシーに従ってライセンスを更新するステップを含むことが好ましい。
【００３２】
ライセンスは、識別パラメータによって識別される唯一の受信デバイスに対するものであることが好ましい。ライセンスは、択一的に、複数の認可受信デバイスに対するものである。
【００３３】
識別パラメータは、ＵＳＢコネクタ等の有線通信リンクを介して受信されることが好ましい。識別パラメータは、択一的に、ＲＦＩＤリーダ等の無線通信リンクを介して受信される。
【００３４】
受信デバイスは、視聴デバイスであることが好ましい。視聴デバイスは、デジタル・テレビであることがより好ましい。
【００３５】
ライセンス・ポリシーは、受信デバイスへストリームされるデジタル・コンテンツの量を決定する少なくとも一つのパラメータの値を含むことが好ましい。オプションとして、ライセンス・ポリシーは、受信デバイスへストリームされるデジタル・コンテンツの品質を決定する少なくとも一つのパラメータの値を含む。このパラメータは、色、連続性、表示、所定画像の重ね、フレーム・サイズ、ストリーミング速度等の、ストリームされるコンテンツの少なくとも一つの局面を制御することがより好ましい。
【００３６】
方法は、また、ライセンスの欠如または識別パラメータの欠如において、ライセンス・ポリシーに従って受信デバイスへデジタル・コンテンツの減衰した一部分を転送するステップを含むことが好ましい。
【００３７】
本発明によるもう一つの実施例によれば、さらに、デジタル・コンテンツに対するデジタル権利を購入するための、次のステップを含む方法が提供される。（ａ）少なくとも一つの受信デバイスに接続して受信デバイスから識別パラメータの各々の値を受信するように作動可能なポータブル記憶デバイスをユーザに販売するステップ。この場合、ポータブル記憶デバイスは、コントローラと、デジタル・コンテンツおよびライセンス・ポリシーを記憶するための不揮発性メモリを含む。（ｂ）対応するライセンスの存在を条件として、ライセンス・ポリシーに従って、ポータブル記憶デバイスおよび受信デバイスから物理的に分離したネットワーク・デバイスから、識別パラメータの各々の値によって識別される受信デバイスへポータブル記憶デバイスを再接続したときに受信デバイス上でデジタル・コンテンツを視聴するための対応するライセンスを購入するようユーザに勧誘するステップ。
【００３８】
本発明によるもう一つの実施例によれば、さらに、ビジネスを行うための、次のステップを含むペイ・パー・ヴュー方法が提供される。（ａ）ライセンスの存在を条件として視聴デバイスへデジタル・コンテンツの制御供給を提供するように構成されたポータブル記憶デバイスを検出するステップ。（ｂ）このポータブル記憶デバイスの検出に応答して、ポータブル記憶デバイスの不揮発性メモリへ、デジタル・コンテンツおよび対応するライセンス・ポリシーをダウンロードするようユーザに勧誘するステップ。そして（ｃ）視聴デバイスに対して受信した識別パラメータの値によって識別される視聴デバイス上でデジタル・コンテンツを視聴するためのライセンスをユーザに販売するステップ。この場合、デジタル・コンテンツは、対応するライセンス・ポリシーおよびライセンスに従って、且つ識別パラメータに応答して、視聴デバイスへストリームされる。
【００３９】
ユーザは、無料でデジタル・コンテンツおよび対応するライセンス・ポリシーをダウンロードするよう勧誘されることが好ましい。
【００４０】
ライセンスは、ネットワーク・デバイスからユーザが購入することが好ましい。
【００４１】
本発明の、他の特徴および利点は、以下の図面および説明文から明らかになる。
【００４２】
本発明を、その実施例に関連させてより良く理解するために、添付の図面を参照する。  図中、類似する数字は、全体を通して、対応するセクションあるいは素子を指す。
【発明を実施するための最良の形態】
【００４３】
本発明は、ポータブル記憶デバイスから受信デバイスへデジタル・コンテンツを制御可能にストリームすることによって、デジタル・コンテンツ（例えば、ビデオ・コンテンツ、ファイル、音楽など）の著作権保護を提供するポータブル記憶デバイスおよび方法である。
【００４４】
典型的に、受信デバイスは、視聴デバイス（デジタルテレビ等）である。
【００４５】
本発明によれば、ポータブル記憶デバイスからのコンテンツのストリーミングは、特定な視聴デバイス上でデジタル・コンテンツを表示するために獲得しているライセンスの可用性を条件としている。本文におけるライセンスは、特定な受信デバイスおよび特定なデジタル・コンテンツに関連する信頼データ・オブジェクトと定義する。
【００４６】
本発明の一つの好適実施例においては、ライセンスが、特定な受信デバイスに対してのみ得られることに注意すべきである。択一的に、ライセンスは、認可受信デバイスのグループにリストされたどの受信デバイスに対しても獲得できる。認可受信デバイスのグループは、例えば、ポータブル記憶デバイスを各々の受信デバイスへ個別に接続し、その受信デバイスを一意的に特徴づける識別パラメータを受信してから、それらすべての受信デバイスを、識別パラメータで認可受信デバイスとして識別したものとリストすることによって定義できる。
【００４７】
ライセンスの購入は、例えば、ポータブル記憶デバイスによって、指定のデジタルテレビからシリアル・ナンバー等の識別パラメータを受信し（識別パラメータを受信するための一つの方法に対する、下記の図２に関する考察を参照）、そして（視聴デバイス識別パラメータを含む）ポータブル記憶デバイスと、デジタル・コンテンツへのデジタル権利を持つ出版者（または小売業者）のネットワーク・サーバとの間でセキュアな通信を確立することで達成できる。
【００４８】
ライセンスの購入は、さらに、視聴デバイスが、出版者のネットワーク・サーバへ直接的に接続してライセンスを得ることが可能なよう視聴デバイスに拡張ロジックを設けることによって達成できる。
【００４９】
視聴デバイス上にデジタル・コンテンツを表示させるための、ユーザによるライセンス購入の方式は、ポータブル記憶デバイスの不揮発性メモリ内に記憶されたライセンス・ポリシーに従って実行される。
【００５０】
本文におけるライセンス・ポリシーは、デジタル・コンテンツが受信デバイスへ送信されて受信デバイス上に表示される方式に影響を及ぼす、デジタル・コンテンツのデジタル権利の利用に関する情報である、と定義する。ライセンス・ポリシーは、デジタル・コンテンツの量、デジタル・コンテンツの品質等を制御するためのパラメータ値を含むことができる。
【００５１】
典型的な例は、データ・コンテンツの表示を、少数回の表示セッション（例えば３回だけ）に制限するよう、あるいはデジタル・コンテンツの表示を、短期間（例えば来週末まで）に制限するようライセンス・ポリシーを実行する。
【００５２】
本発明のもう一つの実施例においては、種々のライセンス・タイプを提供するようライセンス・ポリシーを実行する。例えば、ユーザが各々を異なる価格で購入する複数のライセンス・タイプを含むようライセンス・ポリシーを実行できる（すなわち、第一のライセンスはデジタル・コンテンツの表示を１日に制限し、第二のライセンスはデジタル・コンテンツの表示を１０日間に制限する、など）。そうすれば、ユーザは、彼が望むライセンスを購入できる。これは、例えば、（識別パラメータを受信するために）ポータブル記憶デバイスを視聴デバイスに初めて接続したとき、視聴デバイスそれ自体に、ライセンス・ポリシーが設定した多様なライセンス・タイプを表示することによって、または、ネットワーク・デバイスからライセンスを購入するときにネットワーク・デバイス上にライセンス・タイプを表示することによって実行できる。
【００５３】
本発明のもう一つの実施例においては、視聴デバイスに対して出版者から有効なライセンスが得られていない場合、この視聴デバイスへのコンテンツ・ストリーミングの品質や量が減衰するようライセンス・ポリシーを実行する。これは、例えば、ライセンスを受けた（例えば、出版者から完全なデジタル権利を購入した）デジタル・テレビへポータブル記憶デバイスを接続した場合には、すべての記憶デジタル・コンテンツを最高品質で転送するようにポータブル記憶デバイスに指図するよう、ライセンス・ポリシーを実行することによって適用できる。そして、無認可の（例えば、出版者から、まだデジタル権利を全く購入していない）デジタル・テレビへポータブル記憶デバイスを接続した場合には、（例えば、コンテンツ・ストリーミングを５分間だけに限って転送することによって）デジタル・コンテンツの量を減衰させる。
【００５４】
そのような実施例は、デジタルテレビのスクリーンを見ているユーザへ、彼がライセンスを得ていないことによる損失があることを示唆できるという長所があり、電子商取引の技術では一般的なことである。
【００５５】
デジタル・コンテンツの品質の減衰は、例えば、表示色数を減少させることによって、表示コンテンツを中断させることによって、表示コンテンツ上にキャプションを重ねることによって、表示コンテンツのフレーム・サイズを減少させることによって、ストリーミング速度を減少させて画像をぼやけさせることによって可能である。ストリーミング速度を減少させる場合、ストリーミング・コンテンツを転送する信号の帯域幅を減少させて、デジタルテレビのスクリーン上の画像をいくぶん暈やけさせる。
【００５６】
オプションとして、ポータブル記憶デバイスに対してそれ自体を識別するように構成されていない、すなわち要求を満たしていない普通の視聴デバイスへ、本発明によるポータブル記憶デバイスを接続した場合には、視聴デバイス上でノー・ライセンス・ポリシーに従って視聴できるよう、デジタル・コンテンツを減衰ストリーミング・コンテンツとして転送する。
【００５７】
さて、図１を参照する。これは、ホスト送信デバイス３０、例えばデジタルテレビ３２等の視聴デバイス、そしてオンラインＰＣ３３へ択一的に接続可能なポータブル記憶デバイス１０を含む、本発明によるシステムのブロック図である。本図面における点線は、ホスト送信デバイス３０、デジタルテレビ３２およびオンラインＰＣ３３が、ポータブル記憶デバイス１０へ、同時にではなく、択一的に接続されることを意味する。
【００５８】
イスラエル、ケファル・サバに在るＭシステムズ社から入手可能なＵＳＢ２．０高速デバイス・コントローラ等のコントローラ１２は、デジタルテレビに対するライセンスおよび識別パラメータの各々に応答して、デジタルテレビ３２等の受信デバイスへストリーミング・コンテンツの制御供給を提供するよう作動可能である。ライセンスは、ネットワーク・デバイス（例えば、オンラインＰＣ３３）からデジタルテレビ３２のために受信し、それから不揮発性メモリ１４内に記憶してもよい。コントローラ１２を介してデジタルテレビ３２へのデジタル・コンテンツのストリーム方式（例えば、品質、コンテンツの量など）は、不揮発性メモリ１４のＤＲＭ記憶域１８内に記憶したライセンス・ポリシーを条件とする。
【００５９】
例えばフラッシュメモリ等の不揮発性メモリ１４は、ライセンス記憶領域１７内にライセンスを記憶する。不揮発性メモリ１４は、さらに、典型的にＵＳＢコネクタ２４を介して送信デバイス３０から受信した（デジタル・コンテンツ記憶域１６内に記憶した）デジタル・コンテンツと、（ＤＲＭ記憶域１８内に記憶した）ライセンス・ポリシーを含む。典型的に、ＤＲＭ技術の共通プロシージャによれば、デジタルデータは、圧縮暗号化された方式で受信される（そしてデジタル・コンテンツ・ユニット１６内にも記憶される）。
【００６０】
デジタル・コンテンツ・ユニット１６内に記憶された暗号化デジタル・コンテンツ（そして必要ならばライセンス・ポリシー）を解読するために、（ポータブル記憶デバイス１０を送信デバイス３０へ接続するとポータブル記憶デバイス１０から送信されるパブリック・キーに対応する）ポータブル記憶デバイス１０のプライベート解読キーを備えた解読ユニット３４が設けられている。
【００６１】
本発明による好適方法においては、解読したデジタル・コンテンツを暗号化ユニット３５によって、（典型的に、識別パラメータを受信することに加えて）デジタルテレビ３２から受信したパブリック・キーに対応するデジタルテレビ３２のプライベート・キーでさらに暗号化する。デジタルテレビ３２は、暗号化ストリーミング・コンテンツを受信すると、このコンテンツをそのプライベート・キーで解読する。このキー交換プロシージャは、識別パラメータのみによって識別した特定な視聴デバイス上でデジタル・コンテンツが見られることを保証する。
【００６２】
暗号化ユニット３５を提供することはオプションであり、必ずしもポータブル記憶デバイスによってデジタル・コンテンツを暗号化しなければならないというわけではないことに注意すべきである。代わりに、デジタル・コンテンツの著作権保護を提供しながら、標準ロジックを備えた視聴デバイス上で見られる（すなわち、標準に加えて計算ロジックや解読能力を要求しない）よう、デジタル・コンテンツを簡素なストリーミング・コンテンツとして視聴デバイスへ転送してもよい。本発明における簡素なストリーミング・コンテンツは、暗号化されたことのないストリーミング・コンテンツ、または、ポータブル記憶デバイスによって既に解読された暗号化デジタル・コンテンツに言及する。指定の視聴デバイスのみへデジタル・コンテンツがストリームされることを保証するためには、この視聴デバイスから受信する識別パラメータをコンスタントにサンプリングし、その識別パラメータの有効性に基づいてコンテンツの残りの部分のストリーミングを調節することが可能である。そのような実施例は、ポータブル記憶デバイスから受信したストリーミング・コンテンツを解読する機能をも含む特別な視聴デバイスを構成する必要性を避ける。
【００６３】
視聴デバイスへデジタル・コンテンツをストリームする前にデジタル・コンテンツを展開するために、本技術において既知である展開技術を適用する展開ユニット３６が設けられている。
【００６４】
展開ユニット３６から受信した展開デジタル・コンテンツをストリーミング・コンテンツへ変換するために、マルチメディア・プロセッサ２０が設けられている。
【００６５】
好適実施例においては、本発明によるポータブル記憶デバイス１０は、共通コネクタ２４を用いて、送信デバイス３０、デジタルテレビ３２およびオンラインＰＣ３３のいずれか一つ上の整合コネクタと、択一的に通信する。コネクタ２４は、典型的に、（ＵＳＢプロトコル通信のための）標準ＵＳＢソケットと、付録Ａで説明する（映像通信のための）修正ＵＳＢソケットとの両方に合うよう機械的に設計された二つの別個のチャネルを実装している。
【００６６】
標準テレビを修正してホストとして機能させ、ポータブル記憶デバイスへデータを転送させるために、デジタルテレビ３２に結線したＴＶ接続デバイス２８が設けられている（図２を参照）。
【００６７】
さらに、例えば、ＴＶ接続デバイス２８を、各々が非常に高い（すなわちメガ・オームの）異なる抵抗値を持つ一セットの抵抗器を含む拡張ロジックを備えるよう構成することによって（図２を参照）、ポータブル記憶デバイスに識別パラメータを提供可能なようにＴＶ接続デバイス２８を構成できる。オプションとして、コネクタ２４がＴＶ接続デバイスへ接続されたときのＴＶ接続デバイス２８内の隣接するピンの対の間の抵抗を測るために、抵抗測定ユニット３８が設けられる。ＴＶ接続デバイス２８内の隣接するピンのすべての対の測定から一意的に得られる測定値は、ポータブル記憶デバイス１０のコントローラ１２に、デジタルテレビ３２に要求される識別パラメータを提供する。
【００６８】
デジタルテレビ３２から識別信号を受信するためのオプションの方式は、受信デバイスからＲＦ信号を送信することによる。これらＲＦ信号を受信するために、カリフォルニア州ロックリンに在るパララクス社から入手可能なＲＦＩＤリーダ・モジュール等のＲＦＩＤリーダ２２を、オプションとしてポータブル記憶デバイス内に実装してもよい。
【００６９】
代替実施例においては、ポータブル記憶デバイス１０と、送信デバイス３０、受信デバイス３２またはネットワーク・デバイス３３上の整合コネクタとの間の通信は、単一の共通コネクタ２４の代わりに、ポータブル記憶デバイス１０の各接続デバイスを用いて実行する。
【００７０】
図２を参照する。これは、一セットの抵抗器を含むよう拡張ロジックを実装したＴＶ接続デバイス２８を表す概略図である。デジタルテレビ３２のＴＶ接続デバイス２８は、ＴＶ接続デバイス２８の隣接するピンの対Ｐ１、Ｐ２、Ｐ３、Ｐ４、Ｐ５およびＰ６の間に各々接続される、一セットの抵抗器Ｒ１、Ｒ２、Ｒ３、Ｒ４およびＲ５で構成される。各々の抵抗器は、非常に高い（すなわちメガ・オーム）異なる抵抗値を持ち、ＵＳＢコネクタ２４をＴＶ接続デバイス２８へ接続した場合、異なる抵抗測定値を抵抗測定ユニット３８に生じる。
【００７１】
図３を参照する。これは、本発明による方法のフロー・チャートである。図３の方法は、例証としてのみ、単一の視聴デバイス上にデジタル・コンテンツを表示するケースを説明するが、本発明による方法は、さらに上述のように、要求に応じて、一グループの認可視聴デバイスにリストされた複数の視聴デバイス上にデジタル・コンテンツを表示することを含むことに注意すべきである。
【００７２】
初期ステップは、ローディング段階５０であり、ユーザがポータブル記憶デバイスを、出版者の送信デバイス（自動ビデオ販売機等）へ接続する。接続すると、ポータブル記憶デバイスから送信デバイスへ、ポータブル記憶デバイスの識別子としてパブリック・キーが転送される。それから、ユーザがポータブル記憶デバイスへダウンロードしようと選択したデジタル・コンテンツが、（送信デバイスによってパブリック・キーで暗号化された）暗号化コンテンツとして転送され、ポータブル記憶デバイス内に（暗号化コンテンツとして）記憶される。この段階で、選択デジタル・コンテンツに対応するライセンス・ポリシーも、送信デバイスからポータブル記憶デバイスへ転送される。
【００７３】
次のステップ、すなわちＩＤ段階５２では、ポータブル記憶デバイスを、デジタルテレビ３２等の視聴デバイスへ接続する。ポータブル記憶デバイスを接続した視聴デバイスを一意的に特徴づける識別パラメータ（例えばシリアル・ナンバー）、そして視聴デバイス内に記憶されたプライベート・キーに関連するパブリック・キーの両方が、視聴デバイスからポータブル記憶デバイスへ転送される。
【００７４】
次のステップ５４では、識別パラメータによって識別されるこの視聴デバイス上でデジタル・コンテンツの視聴を可能にする有効なライセンスが、ポータブル記憶デバイスの不揮発性メモリ内に記憶されているのかどうかを検証する。
【００７５】
肯定の場合は、本発明による方法は、直接的にステップ５８へ進む（すなわち、ステップ５６をスキップする）。
【００７６】
しかし否定の場合は、ライセンス購入段階５６で、ユーザが、視聴デバイスからポータブル記憶デバイスを取り外して、例えばオンラインＰＣあるいは電話機等のネットワーク・デバイスへポータブル記憶デバイスを接続し、ライセンス権限者（出版者または小売業者等）からのライセンスの要求を開始し、識別パラメータによって識別されるこの特定な視聴デバイス上でデジタル・コンテンツを表示できるよう、ライセンスを購入する。（権利オブジェクトの形態で）ユーザが購入したライセンスは、送信されてポータブル記憶デバイス内に記憶される。そして本方法は戻ってステップ５４を適用する。ユーザが購入するライセンスは、典型的に、ポータブル記憶デバイス内に記憶されたライセンス・ポリシーに従ってネットワーク・デバイス上に表示される種々のライセンス・タイプから選択する。
【００７７】
ステップ５８、視聴段階では、ポータブル記憶デバイスを視聴デバイスへ接続して後、デジタル・コンテンツが、視聴デバイス上で表示されるストリーミング・コンテンツとして視聴デバイスへ送信される。オプションとして、デジタル・コンテンツは、その送信の前に、ポータブル記憶デバイスのプライベート・キーで一旦解読してから、視聴デバイスから先に送信されたパブリック・キーで暗号化してもよい。
【００７８】
最後のステップ６０では、デジタル・コンテンツを視聴デバイス上で表示した後、この視聴デバイス上でデジタル・コンテンツを表示するために得たライセンスは、必要に応じて、この視聴デバイスに関連させて更新する。ライセンスの更新は、ステップ５６でユーザが購入したライセンスのタイプに従って行われる。例えば、ユーザが購入したライセンスが、デジタル・コンテンツの、少数（例えば３回のみ）の表示セッションを可能にすることに制限されている場合、視聴デバイス上で表示されるようストリーミング・コンテンツが転送された後、ライセンスは、一つ少ない表示セッション（例えば２回のみ）を可能にするよう更新される。
【００７９】
オプションとして、要求されているようにポータブル記憶デバイスにそれ自体を識別するように構成されていない普通の視聴デバイスへ、本発明によるポータブル記憶デバイスを接続した場合、あるいは指定の視聴デバイス上でデジタル・コンテンツを表示するためのライセンスが得られていない場合、デジタル・コンテンツは、ノー・ライセンスのポリシーに従って、視聴デバイス上で見られる減衰ストリーミング・コンテンツとして転送される。
【００８０】
本発明によるもう一つの実施例によれば、一つ以上の認可視聴デバイス上でデジタル・コンテンツを表示するための有効なライセンスの形態にあるデジタル権利を購入する方法が提供される。本方法は、ユーザへ、一つ以上の視聴デバイスへ接続して識別パラメータの各々の値を受信するよう作動可能な、本発明によるポータブル記憶デバイスを販売することを含む。それから、対応するライセンスの存在を条件として、ユーザは、視聴デバイス上でデジタル・コンテンツを視聴のために、識別パラメータの各値によって識別される視聴デバイスへポータブル記憶デバイスを再接続したときに、ライセンス・ポリシーに従ってネットワーク・デバイスから対応するライセンスを購入するよう勧誘される。
【００８１】
さらに、注目すべきは、本発明によるもう一つの方法によれば、ユーザに、彼（女）のポータブル記憶デバイスへ、無料で所望なだけのデジタル・コンテンツ（例えばビデオ等）をダウンロードさせ、このデジタル・コンテンツを視聴デバイス上で視聴するための有効なライセンスを彼（女）が購入した場合にのみ、ユーザに請求するというビジネスを可能にする、ペイ・パー・ヴュー方法が提供されることである。換言すれば、ペイ・パー・ヴュー方法は、ユーザに本発明によるポータブル記憶デバイスへ無料でデジタル・コンテンツおよび対応ポリシーをダウンロードさせること、そしてユーザがこの視聴デバイス上でデジタル・コンテンツを視聴するためのライセンスを購入した場合にだけ、ユーザに請求することを含む。
【００８２】
本発明によるシステムをその特定な実施例に関して説明したが、さらに同業者が修正を施すことは可能であるのだから、上記説明は限定を意味しないと理解すべきである。また、そのような修正は、添付の請求項の範囲内でカバーすることを意図している。
【００８３】
［付録Ａ］
米国仮出願第６０／７４７，１９４号を修正したものであり、この付録で言及する「発明」は、仮出願第６０／７４７，１９４号の発明である。
【００８４】
［用語の定義］
（パーソナル・データ記憶デバイスの）ボウとは、ホストへ簡単に接続できる、コネクタをインストールするのに適当な、デバイス上の位置であるデバイスのフロントエンドのことである。
【００８５】
ＰＳＤは、ポータブル記憶デバイスである。
【００８６】
ＵＦＤは、ＵＳＢフラッシュドライブである。
【００８７】
［発明の背景］
デジタル・マルチメディア・プレイヤーは、デジタル・データを、テレビまたはステレオ・システムで再生できるストリーミング・ビデオあるいはオーディオへ変換するデバイスとして、電子工学の分野で周知の技術である。
【００８８】
プログラマブル・コントローラを備えるポータブル記憶デバイス（ＰＳＤ）は、マルチメディア・アイテムを含むデジタル・ファイルを入力し、そのファイルをストリーミング・メディアへ変換し、そのメディア・ストリームを再生デバイスへ出力することが可能である。例えばパソコンやＴＶセット・トップボックス等の大きな記憶デバイスは、デジタル・データを入力するためのコネクタと、出力デバイスへメディア・ストリームを送信するためのもう一つのコネクタとを備えているため、そのようなタスクを処理できるが、小さなＰＳＤは、典型的に小さなサイズに起因して、二つのコネクタを収容することはできない。
【００８９】
したがって、小さなＰＳＤのボウに単一のコネクタを設け、それを介して、デジタル・ファイルを入力すること、そしてストリーミング・メディアを出力することを可能にするシステムを発明することは非常に望ましい。また、二つの機能のいずれが用いられるのかを自動的に認識して、そのポートでの通信プロトコルを調節するようなシステムを発明することは、さらに望ましい。
【００９０】
［発明の概要］
本発明は、単一のコネクタを用いてＰＳＤを、ＵＳＢ等のデジタル・プロトコルを介して、コンピュータ等のマルチメディア・ファイルのソースへ、そしてストリーミングメディア・プロトコルを介して、デジタルＴＶセット等のストリーミング・メディアのデスティネーションへ接続するためのシステムを初めて開示する。
【００９１】
本発明には、いくつかの局面がある。
【００９２】
本発明の一つの局面では、ＰＳＤは、大きなデジタル・ファイルを記憶することが可能な、大きな不揮発性記憶領域の機能と、ＰＳＤをディスク・ドライブとしてデジタル・コンピュータへ接続することが可能な、ＵＳＢインターフェイスとを持つべきである。この局面においては、ＰＳＤは、大きなＵＦＤとして作動しなければならない。
【００９３】
本発明のもう一つの局面では、ＰＳＤは、デジタル・ファイルをストリーミング・メディアへ変換する、デジタル・メディア・プレイヤーの機能を持つべきである。この変換は、例えばＭＰＥＧ３やＭＰＥＧ４等の、一つ以上のマルチメディア・コンテンツ記憶の標準、あるいは本技術に出現する他のそのような標準に準拠すべきである。ＰＳＤは、また、標準プロトコルおよび標準コネクタを用いて、例えば、株式会社東芝から入手可能な対角３２インチ・シネマ・シリーズＨＤ・ＬＣＤテレビジョン等のデジタルテレビまたはデジタル・ステレオ・システムなどの出力デバイスへ、ストリーミング・メディアをフィードすることが可能であるべきである。
【００９４】
本発明の第三の局面では、上記の二つのコネクタは、入力のための標準デジタル・ソケットと、出力のための標準ストリーミング・ソケットとの両方に適合する、一つの物理コネクタとして具現されるべきである。
【００９５】
本発明の第四の局面では、システムは、接続されたコネクタのタイプを自動的に検出し、二つ以上の可能なソケット・タイプの間の接続を可能にするべきである。
【００９６】
本発明の第五の局面では、システムは、信号を、任意のプロトコルで作動すべきピンへ自動的に切り換え、そして現在のプロトコルに関連しないが作動中のピンに電気的に接触するピンを絶縁することが可能であるべきである。
【００９７】
本発明の上記５つの局面を具現するやり方は、次の図面の詳細な説明からより良く理解することができる。
【００９８】
［図面の詳細な説明］
さて、図４を参照する。これは、デュアルモード・マルチメディア・コネクタの好適実施例の概略図である。このコネクタは、ＵＳＢ規格に準拠するように構成されている。したがって、ＵＳＢソケット互換シェル１０２と、内部に４本の接続ピン１０８を含む。
【００９９】
加えて、このユニークなコネクタは、オプションの後退部分１０４と、追加の接続ピンを含む。例えば、この実施例では、１０本の追加のピン１１０を含む。正規のＵＳＢオペレーションでは、コネクタは、標準ＵＳＢソケットへ挿入されるため、４本の標準ピン１０８だけが作動可能である。特別なマルチメディア・ソケットへ挿入した場合には、（コネクタが接続された）ホストは、そのような特別なデュアル・コネクタが接続されたことを自動的に識別し、本来のピン１０８および追加のピン１１０を介して、異なるマルチメディア・プロトコルの転送を開始することができる。そのような自動識別は、いくつかの方法で実行してもよい。この実施例では、ドングルの後退部分１０４内にマイクロスイッチ（図示せず）を設け、ソケットが、後退部分に入る突起を持っているかどうかを感知することによって、機械的に行う。突起がある場合、ドングルは、コネクタを、下記の図８で説明する「ストリーミング・メディア」構成へ設定する。突起がない場合は、ドングルは、コネクタを、図７に示す「標準ＵＳＢ」構成へ設定する。コネクタ・モードの識別は、電気的な手段によって感知することもできる。例えば、ＵＳＢソケット内でではなく、テレビ・ソケット内でアースされる特定なピン１１２の接続性を感知することができる。図１は、二本のピン１１２によってもたらす識別を表すが、同様に、他のピン数を用いて識別を設計してもよい。
【０１００】
また、図４では、二本の特定なピンを識別に指定しているが、同じピンを、識別以外の電気的な手段のために作動させてもよいことに注意すべきである。
【０１０１】
図５および図６を参照する。これらは、ピンを横切る、ピンの方向に垂直な面における、図４に示すコネクタの断面図であり、プラグのピンとソケットのピンとを表す。
【０１０２】
図５は、標準デジタルＵＳＢソケットへプラグを挿入したときの断面図である。ソケットへのコネクタの接続は、プラグ１２０の一つのシェルをソケット１２１の対応するシェルへ挿入することによって行う。デジタルＵＳＢソケットは、ＵＳＢ規格に従って、絶縁プレート１３０に取り付けた４本のＵＳＢピン１２８を含む。これらの標準ＵＳＢピン１２８は、絶縁プレート１０６に取り付けたプラグ１０８の４本のピンに接続される。この接続において、ソケットの識別のために使用した特定なピン１１０、１１２は、接触していないため、コネクタは、正規のデジタルＵＳＢコネクタとして機能する。
【０１０３】
さて、図６を参照する。これは、本発明によるプラグに嵌合するように設計した特別なソケットを持つテレビに接続したときの、同じコネクタを表す。
【０１０４】
この場合も、接続は、プラグ１３２のシェルをソケット１３３のシェルへ挿入することによって行う。この接続において、嵌合ソケットは、二つの絶縁プレート１３４を含む。上側プレートには、コネクタのピン１０８に接触する４本のピン１３６がある。加えて、このソケットは、コネクタ１１０、１１２の特定なピンに接続する１０本のピン１３８、１４０を備えている。コネクタ１１２の識別ピンは、ソケット１４０の識別ピンと接触している。そして、これを感知するドングルは、コネクタをテレビ・モードの構成へ設定する。
【０１０５】
さて、図７を参照する。接続してＰＳＤとして機能するときの、コネクタの概略的なピンアウト・レイアウトである。
【０１０６】
明白であるが、４本のＵＳＢピンｐ１、ｐ２、ｐ３およびｐ４は、正規の標準デジタルＵＳＢプロトコルに従って作動し、他のすべての１０本の特定なピンｓｐ１、ｓｐ２、ｓｐ３、ｓｐ４、ｓｐ５、ｓｐ６、ｓｐ７、ｓｐ８、ｓｐ９およびｓｐ１０は、接続されない。
【０１０７】
さて、図８を参照する。これは、同じコネクタのピンアウト・レイアウトであるが、このピンアウトは、ＴＶセットへ接続した場合の構成に適している。パワー信号Ｖｃｃおよび一般的な接地信号ＧＮＤは、４本の標準ＵＳＢピンｐ１、ｐ２、ｐ３およびｐ４を介して接続される。他のすべてのビデオ信号は、追加の１０本の特定なピンｓｐ１、ｓｐ２、ｓｐ３、ｓｐ４、ｓｐ５、ｓｐ６、ｓｐ７、ｓｐ８、ｓｐ９およびｓｐ１０を用いて接続される。
【図面の簡単な説明】
【０１０８】
【図１】ホスト送信デバイス、例えばデジタルテレビ等の視聴デバイス、そしてオンラインＰＣへ択一的に接続されるポータブル記憶デバイスを含む、本発明によるシステムを表すブロック図である。
【図２】一セットの抵抗器を含むよう拡張ロジックを実装した接続デバイスを表す概略図である。
【図３】本発明による方法を表すフロー・チャートである。
【図４】付録Ａで説明するデュアルモード・コネクタを表す概略図である。
【図５】付録Ａで説明する、デジタルＵＳＢソケット内へ嵌入された  図４のコネクタを通る断面図である。
【図６】付録Ａで説明する、ＴＶセット内へ嵌入された  図４のコネクタを通る断面図である。
【図７】付録Ａで説明する、ＰＳＤとして作動するように設定した場合の、図４のコネクタのピンアウト・レイアウトである。
【図８】付録Ａで説明する、ビデオ・プレイヤーとして作動するように設定した場合の、図４のコネクタのピンアウト・レイアウトである。
【図１】
2010511307.tif 000003
【図２】
2010511307.tif 000004
【図３】
2010511307.tif 000005
【図４】
2010511307.tif 000006
【図５】
2010511307.tif 000007
【図６】
2010511307.tif 000008
【図７】
2010511307.tif 000009
【図８】
2010511307.tif 000010
【手続補正書】
【提出日】平成21年11月19日(2009.11.19)
【手続補正１】
【補正対象書類名】特許請求の範囲
【補正対象項目名】全文
【補正方法】変更
【補正の内容】
【特許請求の範囲】
【請求項１】
ストリーミング・デジタル・コンテンツの制御供給を提供するためのポータブル記憶デバイスであって、
（ａ）受信デバイスから識別パラメータの値を受信するためのメカニズム、
（ｂ）デジタル・コンテンツ、ライセンス・ポリシー、そして、前記識別パラメータによって識別される前記受信デバイス上で前記デジタル・コンテンツを視聴するためのライセンスを記憶するための不揮発性メモリ、そして
（ｃ）前記識別パラメータに応答して、且つ前記ライセンスの存在を条件として、前記ライセンス・ポリシーに従って前記受信デバイスへの前記デジタル・コンテンツの少なくとも一部分の制御供給を提供するように作動可能なコントローラからなる、ポータブル記憶デバイス。
【請求項２】
前記コントローラが、簡素なストリーミング・コンテンツとして、前記デジタル・コンテンツの前記少なくとも一部分の前記制御供給を提供するよう作動可能である、請求項１のポータブル記憶デバイス。
【請求項３】
さらに、暗号化ストリーミング・コンテンツとして、前記受信デバイスへ前記デジタル・コンテンツの前記少なくとも一部分をストリームするための暗号化ユニットからなる、請求項１のポータブル記憶デバイス。
【請求項４】
前記ライセンスが、前記識別パラメータによって識別される唯一の前記受信デバイスに対するものである、請求項１のポータブル記憶デバイス。
【請求項５】
前記ライセンスが、複数の認可された前記受信デバイスに対するものである、請求項１のポータブル記憶デバイス。
【請求項６】
前記受信デバイスから前記識別パラメータの前記値を受信するための前記メカニズムが、さらに、前記デジタル・コンテンツを前記受信デバイスへ転送するよう作動可能である、請求項１のポータブル記憶デバイス。
【請求項７】
前記受信デバイスから前記識別パラメータの前記値を受信するための前記メカニズムが、前記デジタル・コンテンツを前記受信デバイスへ転送するためのコネクタを含む、請求項６のポータブル記憶デバイス。
【請求項８】
前記メカニズムが、有線通信リンクを介して、前記識別パラメータの前記値を受信するよう作動可能である、請求項１のポータブル記憶デバイス。
【請求項９】
前記メカニズムがＵＳＢコネクタを含む、請求項８のポータブル記憶デバイス。
【請求項１０】
前記メカニズムが、無線通信リンクを介して、前記識別パラメータの前記値を受信するよう作動可能である、請求項１のポータブル記憶デバイス。
【請求項１１】
前記メカニズムがＲＦＩＤリーダを含む、請求項１０のポータブル記憶デバイス。
【請求項１２】
前記受信デバイスが視聴デバイスである、請求項１のポータブル記憶デバイス。
【請求項１３】
前記視聴デバイスがデジタル・テレビである、請求項１２のポータブル記憶デバイス。
【請求項１４】
前記ライセンス・ポリシーが、前記受信デバイスへストリームされる前記デジタル・コンテンツの量を決定する少なくとも一つのパラメータの値を含む、請求項１のポータブル記憶デバイス。
【請求項１５】
前記ライセンス・ポリシーが、前記受信デバイスへストリームされる前記デジタル・コンテンツの品質を決定する少なくとも一つのパラメータの値を含む、請求項１のポータブル記憶デバイス。
【請求項１６】
前記少なくとも一つのパラメータが、前記ストリームされるコンテンツの、色、連続性、表示、所定画像の重ね、フレーム・サイズおよびストリーミング速度からなるグループから選択した少なくとも一つの局面を制御する、請求項１５のポータブル記憶デバイス。
【請求項１７】
前記コントローラが、さらに、前記受信デバイスへの前記デジタル・コンテンツの前記少なくとも一部分の前記制御供給時に、前記ライセンス・ポリシーに従って前記不揮発性メモリ内に記憶した前記ライセンスを更新するよう作動可能である、請求項１のポータブル記憶デバイス。
【請求項１８】
前記コントローラが、さらに、前記識別パラメータの欠如あるいは前記ライセンスの欠如において、前記ライセンス・ポリシーに従って前記受信デバイスへ前記デジタル・コンテンツの前記少なくとも一部分の前記制御供給を提供するよう作動可能である、請求項１のポータブル記憶デバイス。
【請求項１９】
（ａ）デジタル・コンテンツを表示するための作動可能な受信デバイス、そして
（ｂ）
（ｉ）前記受信デバイスから識別パラメータの値を受信するためのメカニズム、そして
（ii）デジタル・コンテンツ、ライセンス・ポリシー、そして前記識別パラメータによって識別される前記受信デバイス上で前記デジタル・コンテンツを視聴するためのライセンスを記憶するための不揮発性メモリを含む記憶デバイスからなり、
前記記憶デバイスが、前記識別パラメータに応答して、且つ前記ライセンスの存在を条件として、前記ライセンス・ポリシーに従って、前記受信デバイスへの前記デジタル・コンテンツの少なくとも一部分の制御供給を提供するよう作動可能である、デジタル権利管理システム。
【請求項２０】
さらに、前記ライセンスを発行するための、前記記憶デバイスおよび前記受信デバイスから物理的に分離したネットワーク・デバイスからなる、請求項１９のデジタル権利管理システム。
【請求項２１】
デジタル・コンテンツのためのデジタル権利を購入するためのポータブル記憶デバイスであって、
（ａ）少なくとも一つの受信デバイスから各々の識別パラメータを受信するためのメカニズム、
（ｂ）デジタル・コンテンツおよびライセンス・ポリシーを記憶するための不揮発性メモリ、そして
（ｃ）前記各々の識別パラメータに応答して、そして前記ライセンス・ポリシーに従って、
（ｉ）前記各々の識別パラメータによって識別される前記少なくとも一つの受信デバイス上でデジタル・コンテンツを視聴するために、ポータブル記憶デバイスおよび前記少なくとも一つの受信デバイスから物理的に分離したネットワーク・デバイスから、対応するライセンスを得るよう、そして
（ii）対応するライセンスの存在を条件として、前記少なくとも一つの受信デバイスへデジタル・コンテンツの少なくとも一部分の制御供給を提供するよう作動可能なコントローラからなる、ポータブル記憶デバイス。
【請求項２２】
（ａ）デジタル・コンテンツおよびライセンス・ポリシーを記憶するステップ、
（ｂ）受信デバイスから識別パラメータの値を受信するステップ、
（ｃ）前記識別パラメータによって識別される前記受信デバイス上で前記デジタル・コンテンツを視聴するためのライセンスが、前記不揮発性メモリ内に存在することを検証するステップ、そして
（ｄ）前記ライセンスの前記存在を条件として、且つ前記ライセンス・ポリシーに従って、前記受信デバイスへ前記デジタル・コンテンツの少なくとも一部分を転送するステップからなる、デジタル権利管理方法。
【請求項２３】
前記デジタル・コンテンツの前記少なくとも一部分が、簡素なストリーミング・コンテンツとして、前記受信デバイスへ転送される、請求項２２のデジタル権利管理方法。
【請求項２４】
前記デジタル・コンテンツの前記少なくとも一部分が、暗号化ストリーミング・コンテンツとして、前記受信デバイスへ転送される、請求項２２のデジタル権利管理方法。
【請求項２５】
さらに、前記識別パラメータの前記値の前記受信に応答して、前記ライセンスを得るためにネットワーク・デバイスと通信するステップからなる、請求項２２のデジタル権利管理方法。
【請求項２６】
さらに、
（ｅ）前記ライセンス・ポリシーに従って前記ライセンスを更新するステップからなる、請求項２２のデジタル権利管理方法。
【請求項２７】
前記ライセンスが、前記識別パラメータによって識別される唯一の前記受信デバイスに対するものである、請求項２２のデジタル権利管理方法。
【請求項２８】
前記ライセンスが、複数の認可された前記受信デバイスに対するものである、請求項２２のデジタル権利管理方法。
【請求項２９】
前記識別パラメータの前記値の前記受信が、有線通信リンクを介して行われる、請求項２２のデジタル権利管理方法。
【請求項３０】
前記有線通信リンクがＵＳＢコネクタを含む、請求項２９のデジタル権利管理方法。
【請求項３１】
前記識別パラメータの前記受信が、無線通信リンクを介して行われる、請求項２２のデジタル権利管理方法。
【請求項３２】
前記無線通信リンクがＲＦ通信リンクである、請求項３１のデジタル権利管理方法。
【請求項３３】
前記受信デバイスが視聴デバイスである、請求項２２のデジタル権利管理方法。
【請求項３４】
前記視聴デバイスがデジタル・テレビである、請求項３３のデジタル権利管理方法。
【請求項３５】
前記ライセンス・ポリシーが、前記受信デバイスへストリームされる前記デジタル・コンテンツの量を決定する少なくとも一つのパラメータの値を含む、請求項２２のデジタル権利管理方法。
【請求項３６】
前記ライセンス・ポリシーが、前記受信デバイスへストリームされる前記デジタル・コンテンツの品質を決定する少なくとも一つのパラメータの値を含む、請求項２２のデジタル権利管理方法。
【請求項３７】
前記少なくとも一つのパラメータが、前記ストリームされるコンテンツの、色、連続性、表示、所定画像の重ね、フレーム・サイズおよびストリーミング速度からなるグループから選択した少なくとも一つの局面を制御する、請求項３６のデジタル権利管理方法。
【請求項３８】
さらに、
（ｅ）前記ライセンスの欠如または前記識別パラメータの欠如において、前記ライセンス・ポリシーに従って前記受信デバイスへ前記デジタル・コンテンツの減衰させた一部分を転送するステップからなる、請求項２２のデジタル権利管理方法。